(57)【要約】【課題】コストの削減及び断水のリスク回避が可能な逆洗方式を備えた浄水装置を提供すること。【解決手段】浄水装置１は、水源から供給される原水が流通する配管２３と、配管２３を流通する原水の流量を検出する流量検出部１６と、原水に含まれる不純成分を捕捉するろ過材を有するろ過槽３１と、補正係数Ｄｃが記憶された記憶部４２と、ろ過材が捕捉可能な不純成分の量を原水に含まれる不純成分の濃度で除算した最大ろ過水量、流量検出部１６により計測される所定の時間で流通した原水の積算水量、最大ろ過水量から積算水量を減算したろ過可能水量、及び、所定の日数毎に積算水量の平均を算出した日量ろ過水量実績を算出し、ろ過可能水量が所定の補正係数により除した日量ろ過水量実績を上回った場合にろ過運転を継続し、ろ過可能水量が補正係数により除した日量ろ過水量実績を下回った場合は逆洗運転に移行する制御部４３と、を備える。【選択図】      図２
2019118901.tif 000002
【特許請求の範囲】
【請求項１】
水源から供給される原水が流通する配管と、
前記配管を流通する前記原水の流量を検出する流量検出部と、
前記原水に含まれる不純成分を捕捉するろ過材を有するろ過槽と、
補正係数が記憶された記憶部と、
前記ろ過材が捕捉可能な前記不純成分の量を前記原水に含まれる前記不純成分の濃度で除算した最大ろ過水量、前記流量検出部により計測される所定の時間で流通した前記原水の積算水量、前記最大ろ過水量から前記積算水量を減算したろ過可能水量、及び、所定の日数毎に前記積算水量の平均を算出した日量ろ過水量実績を算出し、前記ろ過可能水量が所定の補正係数により除した日量ろ過水量実績を上回った場合はろ過運転を継続し、前記ろ過可能水量が前記補正係数により除した前記日量ろ過水量実績を下回った場合は逆洗運転に移行する制御部と、
を備える浄水装置。
【請求項２】
前記制御部は、前記記憶部が所定の日数分の前記日量ろ過水量実績を記憶する前は所定の時刻に前記逆洗運転を行い、所定の日数分の前記日量ろ過水量実績を記憶した後に前記逆洗運転に自動移行することを特徴とする請求項１に記載の浄水装置。
【請求項３】
前記制御部は、前記ろ過可能水量が０になった場合に前記逆洗運転を行うとともに、前記補正係数を自動補正することを特徴とする請求項１に記載の浄水装置。
【発明の詳細な説明】
【技術分野】
【０００１】
本発明は、原水に含まれる不純成分を除去する浄水装置に関する。
【背景技術】
【０００２】
井戸水等の原水に含まれる鉄やマンガン等の不純成分を除去する浄水装置が知られている。浄水装置は、ろ過槽内に不純成分を捕捉除去するろ過材を収容している。このような浄水装置は、ろ過槽内に薬液を注入した原水を通過させることで、ろ過材により鉄やマンガン等の不純成分を捕捉除去し、清澄な浄化水としてろ過槽から排出する。ろ過槽から排出された浄化水は、例えば受水槽に貯留され、受水槽に接続された自動給水ポンプ等により所定の位置に給水される。
【０００３】
しかしながら、ろ過材による不純成分の捕捉量が一定量以上となった状態でろ過運転を継続すると、浄化水中の不純成分濃度が水質基準を超過してしまう。このため、ろ過材による不純成分の捕捉量が一定量以上となる前に、ろ過材が捕捉した不純物をろ過槽外へ排出する逆洗運転を行う必要がある。
【０００４】
この逆洗運転は、例えば、浄化水をろ過運転時とは逆の流れとなるようにろ過槽内に流し、その浄化水でろ過材に蓄積されている不純成分を洗い流してろ過材の機能を回復させるものである。
【０００５】
また、浄水装置は、所定の条件を満たすことにより逆洗運転を自動的に開始する、逆洗方式を備えるものが知られている。このような逆洗方式としては、例えば、制御盤に内蔵した２４時間タイマーにより、予め設定した時刻に逆洗運転を行う、時刻逆洗方式が知られている。
【０００６】
また、浄水装置は、予め記憶されたろ過運転１回当たりでろ過材が除去可能な不純物の量を、原水に含まれる不純物の濃度で除算することで、最大ろ過水量、即ちろ過運転１回でろ過可能な原水の水量を算出し、流量検出部により検出された積算水量が最大ろ過水量に到達した時点で逆洗運転を行う、除去量逆洗方式も知られている（例えば、特許文献１参照）。
【先行技術文献】
【特許文献】
【０００７】
【特許文献１】特開２００９−２７３９６８号公報
【発明の概要】
【発明が解決しようとする課題】
【０００８】
上述した時刻逆洗方式及び除去量逆洗方式には、それぞれ以下の課題があった。時刻逆洗方式については、ろ過水の使用状況がユーザにも把握できていない場合や、ろ過水量の変動が大きい場合は、安全を考慮して逆洗運転を頻繁に行う設定をする必要がある。しかし、ろ過水量の変動が想定したより小さかった等、ろ過材が不純成分を捕捉する余裕のある状態でも、設定時刻に必ず逆洗運転に移行されるため、逆洗ポンプの駆動及び停止に伴う消費電力が大きくなる。このため、浄水装置のランニングコストが増大する。
【０００９】
除去量逆洗方式については、逆洗運転の開始が給水量の多い時間に重なると、断水する虞がある。また、浄化水を受水槽に一旦貯留して自動給水ポンプ等で末端へ給水している場合、受水槽に貯留した浄化水を逆洗に利用することが可能であるが、給水量が多い時間帯に逆洗運転が行われ断水する可能性を考慮すると、受水槽容量を大きくする必要がある。即ち、受水槽の設置に係るイニシャルコストが増大する。
【００１０】
そこで本発明は、逆洗頻度の低減及び受水槽の減容化を可能とすることでコストの削減が可能であり、また断水のリスク回避が可能な逆洗方式を備えた浄水装置を提供することを目的とする。
【課題を解決するための手段】
【００１１】
本発明の一態様によれば、水源から供給される原水が流通する配管と、前記配管を流通する前記原水の流量を検出する流量検出部と、前記原水に含まれる不純成分を捕捉するろ過材を有するろ過槽と、補正係数が記憶された記憶部と、前記ろ過材が捕捉可能な前記不純成分の量を前記原水に含まれる前記不純成分の濃度で除算した最大ろ過水量、前記流量検出部により計測される所定の時間で流通した前記原水の積算水量、前記最大ろ過水量から前記積算水量を減算したろ過可能水量、及び、所定の日数毎に前記積算水量の平均を算出した日量ろ過水量実績を算出し、前記ろ過可能水量が所定の補正係数により除した日量ろ過水量実績を上回った場合はろ過運転を継続し、前記ろ過可能水量が前記補正係数により除した前記日量ろ過水量実績を下回った場合は逆洗運転に移行する制御部と、を備える。
【発明の効果】
【００１２】
本発明によれば、逆洗頻度の低減及び断水のリスク回避が可能な逆洗方式を備えた浄水装置を提供することができる。
【図面の簡単な説明】
【００１３】
【図１】本発明の一実施形態に係る浄水装置の構成を示す説明図。
【図２】同浄水装置の使用の一例を示す流れ図。
【図３】同浄水装置の使用の一例を示す流れ図。
【図４】同浄水装置の使用の一例を示す流れ図。
【図５】同浄水装置の使用の一例を示す流れ図。
【図６】同浄水装置の使用の一例を示す流れ図。
【発明を実施するための形態】
【００１４】
本発明の一実施形態に係る浄水装置１を、図１及び図２を用いて説明する。  
図１は、本発明の一実施形態に係る浄水装置１の構成を示す説明図、図２は浄水装置１を用いた逆洗運転の制御方法の一例を示す流れ図である。
【００１５】
図１に示すように、浄水装置１は、原水の供給源１００に設けられたポンプ装置１１と、ポンプ装置１１の二次側に設けられたろ過ユニット１２と、ろ過ユニット１２の二次側に設けられた受水槽１３と、逆洗ポンプ１４と、薬液注入装置１５と、流量検出部１６と、制御盤１７と、を備える。
【００１６】
浄水装置１は、例えば、ポンプ装置１１により供給源１００から汲み上げた原水に、薬液注入装置１５で薬液を注入し、ろ過ユニット１２を通過させることで原水に含まれる不純成分を捕捉除去可能に形成される。ここで、供給源１００は、例えば井戸である。
【００１７】
ポンプ装置１１は、例えば、供給源１００より原水を揚水可能なポンプ装置である。ポンプ装置１１は、ポンプ２１と、ポンプ２１を駆動するモータ２２と、ポンプ２１の二次側に接続された配管２３と、を備える。ポンプ２１は、配管２３を介してろ過ユニット１２に接続される。モータ２２は信号線９９を介して制御盤１７に接続される。
【００１８】
ろ過ユニット１２は、ろ過槽３１と、吸込管３２と、第１三方弁３３と、排水管３４と、吐出管３５と、第２三方弁３６と、給水管３７と、逆洗配管３８と、を備える。
【００１９】
ろ過槽３１は、内部に積層された、複数のろ過材を備える。ろ過材は、薬液を注入した原水から鉄、マンガン、及び原水に含まれる砂等の固形物を除去可能に構成される。
【００２０】
吸込管３２は、ろ過槽３１に接続される。例えば、吸込管３２の一端は、複数のろ過材の上方に配置される。
【００２１】
第１三方弁３３は、電動弁である。第１三方弁３３は、３つのポートを有しており、内部の流路を切り替えることで、これらのいずれか２つのポートを接続する。第１三方弁３３は、第１ポートが配管２３に接続される。第１三方弁３３は、第２ポートが吸込管３２の他端に接続される。第１三方弁３３は、第３ポートが排水管３４の一端に接続される。
【００２２】
排水管３４は、他端を排水先１１０に接続され、排水管３４を流れる水を排水可能に構成される。
【００２３】
吐出管３５は、ろ過槽３１に接続される。また、吐出管３５の一端は、複数のろ過槽の最下層の下方に配置される。
【００２４】
第２三方弁３６は、電動弁である。第２三方弁３６は、３つのポートを有しており、内部の流路を切り替えることで、これらのいずれか２つのポートを接続する。第２三方弁３６は、第１ポートが吐出管３５の他端に接続される。第２三方弁３６は、第２ポートが給水管３７の一端に接続される。第２三方弁３６は、第３ポートが逆洗配管３８の一端に接続される。
【００２５】
給水管３７の他端は、受水槽１３に接続される。給水管３７は、吐出管３５から吐出された水を受水槽１３に給水する流路を構成する。逆洗配管３８の他端は、逆洗ポンプ１４に接続される。
【００２６】
逆洗ポンプ１４は、ポンプ５１と、モータ５２と、ポンプ５１の二次側に設けられた逆止弁５３及び開閉弁５４と、を備えている。モータ５２は、信号線９９を介して制御盤１７に接続される。開閉弁５４は、例えば、手動で開閉可能に構成される。
【００２７】
薬液注入装置１５は、配管２３に接続され、配管２３を流れる原水中に原水濃度に応じた量の薬液を注入可能に構成される。
【００２８】
流量検出部１６は、ろ過槽３１の一次側に設けられ、配管２３内を流通する原水の流量を検出可能に構成される。なお、流量検出部１６は、ろ過した水量であるろ過水量を検出できればよく、例えば、ろ過槽３１の二次側に設けられていてもよい。
【００２９】
制御盤１７は、入力部４１と、記憶部４２と、制御部４３と、を備える。また、制御盤１７には記憶部４２及び制御部４３により構成されるカレンダー機能及び時間を計測する機能を有している。具体例として、制御盤１７は、例えば、記憶部４２に記憶されたプログラム等により構成され、２４時間を計時できるとともに、任意に設定された時間に達したときに、当該情報を制御部４３に送信可能に構成された２４時間タイマーが内蔵される。
【００３０】
入力部４１は、原水に含まれる不純物の濃度である原水濃度を入力可能に構成される。また、後述する逆洗方式の選択や、制御部４３での判断に用いられる各種設定値を入力可能に構成される。また、記憶部４２及び制御部４３で使用する２４時間タイマーの設定を入力可能に構成される。
【００３１】
記憶部４２は、浄水装置１の機種毎に設定される原水中の不純物の最大除去量、即ち、１サイクルのろ過運転でろ過材が除去可能な不純物の量を予め記憶する。ここで、１サイクルのろ過運転とは、ろ過運転の開始から次回の逆洗運転までを意味する。記憶部４２は、入力部４１で入力された原水濃度を記憶する。また、記憶部４２は、入力部４１で入力された逆洗を許可する逆洗許可時刻を記憶する。逆洗許可時刻は、浄水装置１が用いられる建家等の状況に応じて、適宜設定される。
【００３２】
制御部４３は、信号線９９を介して、流量検出部１６、第１三方弁３３、第２三方弁３６、モータ２２、５２に電気的に接続される。制御部４３は、第１三方弁３３、第２三方弁３６、を切り替え可能に構成される。制御部４３は、モータ２２を制御することでポンプ２１を、モータ５２を制御することでポンプ５１を駆動し、ポンプ装置１１及び逆洗ポンプ１４をそれぞれ制御可能に構成される。
【００３３】
制御部４３は、１サイクル当たりでろ過可能な原水の水量として、最大除去量を原水濃度で除算した最大ろ過水量を算出し、記憶部４２に記憶する。制御部４３は、流量検出部１６で検出した水量を積算し、当該積算値を積算水量として記憶するとともに、一日経過したときの積算水量を積算ろ過水量として記憶部４２に記憶する。
【００３４】
制御部４３は、流量検出部１６で検出したろ過水量を最大ろ過水量から減算し、ろ過運転後の所定の時点におけるろ過材によりろ過可能な残りろ過可能水量を算出し、記憶部４２に記憶する。
【００３５】
また、制御部４３は、即ち、入力部４１で設定された任意の日毎に計算する積算ろ過水量の平均値を算出し、日量ろ過水量として記憶部４２に記憶する。また、制御部４３は、日量ろ過水量を、設定された日毎に繰り返し算出し、値を更新する。なお、本実施形態においては、設定日を曜日毎、即ち、日〜土曜日の７日とした一例で以下説明する。この例においては、制御部４３は、日〜土曜日の各７日分の積算ろ過水量を１週毎に検出して、算出手段４２ａによりそれぞれの曜日毎に平均値を算出し、更新して各曜日の日量ろ過水量実績として記憶部４２に記憶する。
【００３６】
また、制御部４３は、以下の（１）乃至（３）の機能を有する。  
（１）  原水をろ過するろ過運転を行う機能。
【００３７】
（２）  ろ過槽３１内で水を逆流させてろ過槽３１内を洗浄する逆洗運転を行う機能。
【００３８】
（３）  ろ過運転及び逆洗運転を切り換える機能。
【００３９】
次に、制御部４３が有する（１）乃至（３）の機能について説明する。
【００４０】
（１）の機能は、薬液を注入した原水をろ過槽３１でろ過処理することで原水から鉄、マンガン及び固形物からなる不純物を除去するろ過運転を行う機能である。具体的には、ポンプ装置１１のポンプ２１から配管２３、吸込管３２、ろ過槽３１、吐出管３５、給水管３７を通り、受水槽１３へ接続される流路を構成可能に、制御部４３が第１三方弁３３及び第２三方弁３６を切り替える。
【００４１】
この状態で、制御部４３がモータ２２を制御することで、ポンプ２１を駆動し、原水をろ過槽３１に給水するとともに、流量に応じて原水に薬液を注入し、当該薬液が注入された原水がろ過槽３１を通過する。これにより、ろ過槽３１内のろ過材により、原水に含有される鉄及びマンガンが除去されるとともに、原水中の固形物がろ過される。なお、ろ過運転中の水の流れを、図１中に実線矢印で示す。また、制御部４３は、当該機能によってろ過運転を行っているときのろ過水量を積算し、記憶部４２に記憶させる。
【００４２】
（２）の機能は、ろ過槽３１内で吐出管３５から吸込管３２に向かって受水槽１３内の水を流すことで、ろ過槽３１内のろ過材が捕捉した不純物等を除去し、ろ過槽３１内を洗浄する逆洗運転を行う機能である。具体的には、逆洗ポンプ１４のポンプ５１から逆洗配管３８、吐出管３５、ろ過槽３１、吸込管３２、排水管３４の順に流れるように、制御部４３が第１三方弁３３及び第２三方弁３６を切り替える。
【００４３】
この状態で、所定の時間、制御部４３がモータ５２を駆動することで、受水槽１３に貯留された水が吐出管３５からろ過槽３１を逆流して通過し、吸込管３２から排水管３４を通過する。これにより、ろ過槽３１内のろ過材を洗浄し、ろ過材を洗浄した汚染水は排水先１１０に排水される。以上により、ろ過槽３１内の不純物や、ろ過材に付着した不純物等が除去され、ろ過槽３１内が洗浄される。なお、逆洗運転中の水の流れを、図１中に破線矢印で示す。また、（２）の機能として、入力された逆洗運転の時間又は予め記憶部４２に記憶された逆洗運転の時間が経過したときに、第１三方弁３３及び第２三方弁３６を切り換えて原水を吸込管３２、ろ過槽３１、吐出管３５の順に通過させるとともに、例えば、第２三方弁３６及び受水槽１３の間に設けられた三方弁を切り換えて、排水する洗浄運転を行う。即ち、洗浄運転は、逆洗運転後に、各流路及びろ過槽３１内を洗浄し排水する運転である。なお、洗浄運転においてろ過槽を通過した水は、受水槽１３に移動させずに排水する構成であり、実施形態においては、洗浄運転時の排水のための構成は省略するが、上述したように、第２三方弁３６及び受水槽１３の間に排水先１１０へ流路が切り換える三方弁を有する構成であってもよく、また、他の構成であってもよい。
【００４４】
（３）の機能は、制御部４３により、所定の条件を満たしたと判断したときに、（１）の機能のろ過運転中に、（２）の機能の逆洗運転に移行する機能である。具体例としては、制御部４３は、時刻逆洗方式、除去量逆洗方式及び指定除去量逆洗方式のいずれか選択された方式で逆洗を行う。これら複数の逆洗方式は、入力部４１によりユーザによって入力されることで選択される。
【００４５】
時刻逆洗方式は、２４時間タイマーに設定された時刻に、所定の時間、逆洗を行う方式である。即ち、制御部４３は、２４時間タイマーを監視し、設定された時刻となったときに、ろ過運転から逆洗運転に切り換える。
【００４６】
除去量逆洗方式は、積算水量が、最大ろ過水量と比較し、積算水量が最大ろ過水量に到達した時点で逆洗運転を行う方式である。即ち、制御部４３は、ろ過運転中に流量検出部１６検出した積算水量が、原水濃度から算出した最大ろ過水量と比較し、積算水量が最大ろ過水量を比較したときに、ろ過運転から逆洗運転に切り換える。
【００４７】
指定除去量逆洗方式は、日量ろ過水量実績を補正係数Ｄｃで除した値をろ過可能水量と比較し、入力部４１で入力された任意の時刻に通常運転から逆洗運転に切り換える機能である。即ち、制御部４３は、日量ろ過水量実績を各日毎に算出し、切換を判断する日に該当する日の最新の日量ろ過水量実績を補正係数Ｄｃで補正し、補正した日量ろ過水量実績を判断時のろ過可能水量と比較し、ろ過可能水量が補正した日量ろ過水量実績を上回ったときはろ過運転を継続し、ろ過可能水流が補正した日量ろ過水量実績以下となった場合には、逆洗運転に切り換える。
【００４８】
なお、ここで、補正係数Ｄｃとは、記憶部４２に記憶されており、急な使用水量の変化や原水濃度の変化に対応させるために、日量ろ過水量実績を補正する値であり、適宜設定可能である。また、指定除去量逆洗方式は、日量ろ過水量実績を要するため、例えば、浄水装置１設置後、日量ろ過水量実績を算出できていない場合、例えば、本実施形態においては、設置後一週間を経過する前は、制御部４３は、時刻逆洗方式を選択し、日量ろ過水量実績を算出後に指定除去量逆洗方式を適用する。例えば、補正係数Ｄｃは、１．０≦Ｄｃ≦９．９の範囲で任意に設定可能である。また、制御部４３は、補正係数Ｄｃを補正可能に構成される。具体的には、制御部４３は、補正係数Ｄｃに、ろ過状況等に応じて補正数値ＤＥを加算する。ここで、補正後の補正係数Ｄｃ＋ＤＥは、１．０≦Ｄｃ＋ＤＥ≦９．９の範囲に設定される。
【００４９】
次に、浄水装置１のろ過運転及び逆洗運転の制御に関する制御盤１７の動作を図２に示す流れ図を用いて説明する。
【００５０】
図２に示すように、先ず、制御部４３は、ろ過運転の指示が入力部４１等から入力されると、ろ過運転を開始する（ステップＳＴ１）。このとき、流量検出部１６で流量を検出し、制御部４３は、積算水量を記憶する。
【００５１】
次に、制御部４３は、入力部４１により入力された時刻逆洗方式、除去量逆洗方式、または指定除去量逆洗方式を選択する。具体的には、制御部４３は、先ず入力部４１により時刻逆洗方式が選択されているか判断する（ステップＳＴ２）。時刻逆洗方式が選択されている場合（ステップＳＴ２のＹＥＳ）には、後述するステップＳＴ５に移行する。時刻逆洗方式が選択されていない場合（ステップＳＴ２のＮＯ）には、制御部４３は、次に除去量逆洗方式が選択されているか判断する（ステップＳＴ３）。除去量逆洗方式が選択されている場合（ステップＳＴ３のＹＥＳ）には、後述するステップＳＴ１３に移行する。除去量逆洗方式が選択されていない場合（ステップＳＴ３のＮＯ）には、制御部４３は、指定除去量逆洗方式が選択されているか判断する（ステップＳＴ４）。指定除去量逆洗方式が選択されている場合（ステップＳＴ４のＹＥＳ）には、後述するステップＳＴ１８に移行する。指定除去量逆洗方式が選択されていない場合（ステップＳＴ４のＮＯ）には、ステップＳＴ２に戻り、いずれかが選択されるまで待機するか、又は、記憶部４２に予め記憶された優先度の高い方式を選択する構成としてもよい。
【００５２】
ステップＳＴ２において時刻逆洗方式を選択した場合の、制御部４３の動作について説明する。  
まず、制御部４３は、カレンダー機能及び２４時間タイマー機能において、現在曜日（Ｘ曜日）及び現在時刻が設定されているか判断する（ステップＳＴ５）。現在曜日のＸ曜日及び現在時刻が設定されていない場合（ステップＳＴ５のＮＯ）は、ステップＳＴ５に戻る。例えば、現在曜日及び現在時刻がカレンダー機能及び２４時間タイマー機能に設定されていない場合には、当該情報を外部へ報知する。現在曜日（Ｘ曜日）及び現在時刻が設定済みの場合（ステップＳＴ５のＹＥＳ）には、制御部４３は、記憶部４２へ、曜日毎の積算ろ過水量Ｉの記憶部４２への記憶、即ち、曜日毎の積算ろ過水量Ｉの記録を開始する（ステップＳＴ６）。
【００５３】
次に、制御部４３は、Ｘ曜日に、２４時間連続で浄水装置１が稼働したかを判断する（ステップＳＴ７）。ここで、２４時間連続で浄水装置１が稼働した場合（ステップＳＴ７のＹＥＳ）は、制御部４３は、Ｘ曜日の積算ろ過水量Ｉ（Ｘ）を記憶し（ステップＳＴ８）、続いて算出手段４２ａによりＸ曜日の日量ろ過水量実績Ｊ（Ｘ）を算出する（ステップＳＴ９）。２４時間連続で浄水装置１が稼働しなかった場合（ステップＳＴ７のＮＯ）は、ステップＳＴ８及びステップＳＴ９を行わない、即ち、Ｘ曜日の積算ろ過水量Ｉ（Ｘ）及び日量ろ過水量実績Ｊ（Ｘ）を記憶部４２に記憶せず、次のステップに移行する。
【００５４】
次に、制御部４３は、逆洗運転の開始時刻である逆洗許可時刻が設定されているか否かを判断する（ステップＳＴ１０）。逆洗許可時刻を設定していない場合（ステップＳＴ１０のＮＯ）には、ステップＳＴ６に戻る。逆洗許可時刻を設定している場合（ステップＳＴ１０のＹＥＳ）には、制御部４３は、設定した逆洗許可時刻に到達したか否かを判断する（ステップＳＴ１１）。設定した逆洗許可時刻に到達していない場合（ステップＳＴ１１のＮＯ）には、ステップＳＴ６に戻る。設定した逆洗許可時刻に到達した場合（ステップＳＴ１１のＹＥＳ）には、制御部４３は（２）の機能として、逆洗運転を開始する（ステップＳＴ１２）。なお制御部４３は、逆洗運転及び洗浄運転を所定時間行ったあと、ステップＳＴ２に戻り、ろ過運転を再度開始する。
【００５５】
次に、ステップＳＴ３において除去量逆洗方式を選択した場合の、制御部４３の動作について説明する。  
まず、制御部４３は、最大ろ過水量Ｑ１を算出し（ステップＳＴ１３）、最大ろ過水量Ｑ１から通水量、即ち、流量検出部１６で検出した原水の流量を減算して、ろ過可能水量Ｑ２を算出する（ステップＳＴ１４）。
【００５６】
次に、制御部４３は、Ｑ２＝０を満たすか判断する（ステップＳＴ１５）。Ｑ２＝０を満たさない場合（ステップＳＴ１５のＮＯ）には、ステップＳＴ１５に戻る。Ｑ２＝０を満たす場合（ステップＳＴ１５のＹＥＳ）には、制御部４３は、逆洗運転を開始する（ステップＳＴ１６）。なお、逆洗運転後はＱ２＝Ｑ１にリセットされ（ステップＳＴ１７）、制御部４３は、ステップＳＴ２に戻り、再び通常運転を開始する。
【００５７】
次に、ステップＳＴ４において指定除去量逆洗方式を選択した場合の、制御部４３の動作について説明する。  
まず、制御部４３は、全曜日の日量ろ過水量実績Ｊを算出したか否かを判断する（ステップＳＴ１８）。全曜日の日量ろ過水量実績Ｊを算出していない場合（ステップＳＴ１８のＮＯ）には、ステップＳＴ５に移動し、時刻逆洗方式により逆洗を行う。
【００５８】
全曜日の日量ろ過水量実績Ｊが算出されている場合（ステップＳＴ１８のＹＥＳ）には、制御部４３は、原水濃度が記憶部４２に記憶され、任意に設定された逆洗に移行可能な逆洗許可時刻が設定されて記憶部４２に記憶されているか否かを判断する（ステップＳＴ１９）。原水濃度及び逆洗許可時刻の一方又は両方が記憶されていない場合（ステップＳＴ１９のＮＯ）には、ステップＳＴ５に移行し、時刻逆洗方式により逆洗を行う。原水濃度及び逆洗許可時刻が記憶されている場合（ステップＳＴ１９のＹＥＳ）には、制御部４３は、最大ろ過水量Ｑ１を算出し（ステップＳＴ２０）、最大ろ過水量Ｑ１を用いてろ過可能水量Ｑ２を算出する（ステップＳＴ２１）。
【００５９】
次に、制御部４３は、Ｘ曜日に２４時間連続で浄水装置１が稼働したかどうかを判断する（ステップＳＴ２２）。ここで、２４時間連続で浄水装置１が稼働した場合（ステップＳＴ２２のＹＥＳ）には、制御部４３は、Ｘ曜日の積算ろ過水量Ｉ（Ｘ）を記憶し（ステップＳＴ２３）、次いでＸ曜日の日量ろ過水量実績Ｊ（Ｘ）を算出する（ステップＳＴ２４）。なお、Ｘ曜日に２４時間連続で浄水装置１が稼働しなかった場合（ステップＳＴ２２のＮＯ）には、ステップＳＴ２３及びステップＳＴ２４において積算ろ過水量Ｉ（Ｘ）及び日量ろ過水量実績Ｊ（Ｘ）の記憶を行わず、次のステップに移行する。
【００６０】
次に、制御部４３は、Ｘ曜日の翌日をＸ＋１曜日とした場合、Ｑ２＜（Ｊ（Ｘ＋１））／Ｄｃを満たすか否か判断する（ステップＳＴ２５）。Ｑ２＜（Ｊ（Ｘ＋１））／Ｄｃを満たした場合（ステップＳＴ２５のＹＥＳ）には、次に制御部４３は、設定された逆洗許可時刻に到達したか否かを判断する（ステップＳＴ２６）。逆洗許可時刻に到達した場合（ステップＳＴ２６のＹＥＳ）、制御部４３は、第１三方弁３３及び第２三方弁３６を切り替え、浄水装置１が逆洗運転を開始するよう制御する（ステップＳＴ２７）。なお、逆洗後はＱ１＝Ｑ２にリセットし（ステップＳＴ２８）、制御部４３により再びろ過運転を開始する。
【００６１】
ステップＳＴ２５において、Ｑ２＜（Ｊ（Ｘ＋１））／Ｄｃを満たしていない場合（ステップＳＴ２５のＮＯ）には、制御部４３は、Ｘ＋１曜日の逆洗許可時刻到達前でＱ２＝０を満たしたか否かを判断する（ステップＳＴ２９）。Ｘ＋１曜日の逆洗許可時刻到達前でＱ２＝０を満たしていない場合（ステップＳＴ２９のＮＯ）には、ステップＳＴ２０に戻る。Ｘ＋１曜日の逆洗許可時刻到達前でＱ２＝０を満たした場合（ステップＳＴ２９のＹＥＳ）、補正係数Ｄｃに補正数値ＤＥを加算する（ステップＳＴ３０）。ここで補正数値ＤＥは、記憶部４２に記憶され、１．０≦（Ｄｃ＋ＤＥ）≦９．９の範囲で任意に設定される。
【００６２】
次いで、制御部４３は、入力部４１により任意に設定された設定値Ｄｄについて、Ｄｄ＝１かＤｄ＝０か判断する（ステップＳＴ３１）。ここで、ステップＳＴ３１においてＤｄ＝１である場合は、ステップＳＴ２７に移行し、強制逆洗、即ち、逆洗許可時刻によらず強制的に逆洗運転を行う。ステップＳＴ３１においてＤｄ＝０である場合は、制御部４３は、逆洗許可時刻に到達したか否かを判断する（ステップＳＴ３２）。ここで、逆洗許可時刻に到達した場合（ステップＳＴ３２のＹＥＳ）には、ステップＳＴ２７に移行する。逆洗許可時刻に到達していない場合（ステップＳＴ３２のＮＯ）には、ステップＳＴ３２に戻る。
【００６３】
このように構成された浄水装置１によれば、指定除去量逆洗の逆洗方式を選択することで、所定の日毎に、即ち本実施形態においては各曜日毎に、指定した時刻に逆洗運転への移行が必要であると判断された場合のみ、逆洗運転に移行される。これにより、指定時刻に必ず逆洗運転を開始する従来の時刻逆洗に比べ、逆洗運転への移行頻度を減らすことができる。よって、逆洗ポンプ１４の駆動及び停止に伴う消費電力を低減することができ、即ち、浄水装置１のランニングコストの削減が可能である。
【００６４】
また、逆洗運転への移行若しくはろ過運転の継続の判断は、ユーザの設定した任意の時刻に開始されるため、ユーザが例えば給水量の少ない深夜時間帯などに設定することで、逆洗運転への移行による断水のリスク回避が可能となる。これにより、給水量の多い例えば日中に逆洗運転への移行による断水を回避できるため、予め処理水を余分に貯めておく必要がないことから、受水槽１３の容積は適切な大きさでよく、従来の技術に比べて受水槽１３の減容化が可能となる。結果、受水槽１３の小型化が可能となり、受水槽１３の製造コスト及び設置コストが低減できるため、浄水装置１のイニシャルコストの低減が可能となる。
【００６５】
また、例えば急激なろ過水量増加により、逆洗運転への移行若しくはろ過運転の継続の判断をする指定時刻前にろ過可能水量が０となった場合も、直ちに逆洗運転に移行するため、ろ過の不十分な処理水の受水槽への流入を防ぐことができる。加えて、制御部４３は、補正係数Ｄｃに補正数値ＤＥを加算する補正をすることで、予想される翌日以降の急激なろ過水量の増加に対応可能である。
【００６６】
なお、本発明は、上記実施形態に限定されるものではなく、実施段階ではその要旨を逸脱しない範囲で種々に変形することが可能である。例えば、本実施形態において、指定除去量逆洗を行う場合、各曜日毎に日量ろ過水量実績Ｊを算出するものとしたが、これに限定されない。日量ろ過水量実績Ｊを算出する指定日として、例えば、祝日を設定してもよい。
【００６７】
指定日を祝日とした場合、時刻逆洗による浄水装置１の運転中、祝日毎に積算ろ過水量Ｉが記憶され、１年毎に全ての祝日の日量ろ過水量実績Ｊが記憶・更新される。時刻逆洗による浄水装置の運転開始から１年経過し、全ての祝日の日量ろ過水量実績Ｊが記憶された以降は、指定除去量逆洗による浄水装置１の運転が可能となる。
【００６８】
また、浄水装置１は、指定除去量逆洗方式に加え、時刻逆洗方式や除去量逆洗方式を入力部４１の入力によって選択する例を説明したが、これに限定されず、これらの方式を併用して制御部４３が選択する構成であってもよい。また、例えば、時刻逆洗方式及び指定除去量逆洗方式の２つの方式を用いる構成であってもよく、指定除去量逆洗方式において、日量ろ過水量実績を算出するまでは時刻逆洗方式を用い、その後、指定除去量逆洗方式のみでろ過運転及び逆洗運転を切り換える構成であってもよい。
【００６９】
また、上述した例では、制御部４３は、ろ過状況等に応じて補正係数Ｄｃに補正数値ＤＥを加算する構成を説明したがこれに限定されず、加算及び減算する構成であってもよい。
即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００７０】
１…浄水装置、１１…ポンプ装置、１２…ろ過ユニット、１３…受水槽、１４…逆洗ポンプ、１５…薬液注入装置、１６…流量検出部、１７…制御盤、２１…ポンプ、２２…モータ、２３…配管、３１…ろ過槽、３２…吸込管、３３…第１三方弁、３４…排水管、３５…吐出管、３６…第２三方弁、３７…給水管、３８…逆洗配管、４１…入力部、４２…記憶部、４２ａ…算出手段、４３…制御部、５１…ポンプ、５２…モータ、５３…逆止弁、５４…開閉弁、９９…信号線、１００…供給源、１１０…排水先。
【図１】
2019118901.tif 000003
【図２】
2019118901.tif 000004
【図３】
2019118901.tif 000005
【図４】
2019118901.tif 000006
【図５】
2019118901.tif 000007
【図６】
2019118901.tif 000008